(57)【要約】【課題】車庫の基礎コンクリートは傾斜が付いているが、傾斜の付いた床上であっても物干柵を安定して回せるようにすること。【解決手段】  車庫２の傾斜する床２１の上に物干柵３を起立すると共に、車庫の柱２２を中心にして物干柵を回すときに物干柵が床の傾斜に沿って上下動するストロークを吸収するために、鉛直な筒状の軸受４２と、軸受に対して相対的に上下動可能に収容される軸４１とを設け、軸４１と軸受４２のうち一方を柱２２に、他方を物干柵３の一端部にそれぞれ固定してあることを特徴とする物干。車庫２がカーポートであって、物干柵３の他端部の底にストッパー３４付きのキャスター３２を付ける。【選択図】      図１
2009022436.tif 000002
【特許請求の範囲】
【請求項１】
車庫（２）の傾斜する床（２１）の上に物干柵（３）を起立すると共に、車庫（２）の柱（２２）を中心にして物干柵（３）を回すときに物干柵（３）が床（２１）の傾斜に沿って上下動するストロークを吸収するために、鉛直な筒状の軸受（４２）と、軸受（４２）に対して相対的に上下動可能に収容される軸（４１）とを設け、軸（４１）と軸受（４２）のうち一方を柱（２２）に、他方を物干柵（３）の一端部にそれぞれ固定してあることを特徴とする物干。
【請求項２】
車庫（２）がカーポートであって、物干柵（３）の他端部の底にストッパー（３４）付きのキャスター（３２）を付けてあることを特徴とする請求項１記載の物干。
【発明の詳細な説明】
【技術分野】
【０００１】
本発明は、カーポートその他の車庫の傾斜した床面に設置する物干に関する。
【背景技術】
【０００２】
屋根だけの簡易な車庫、カーポートは、自動車で外出しているときに、内部の空間が無駄となる。カーポートは上を屋根で覆ってあるが、周囲を覆っていないので、内部の空間や床面に日が当たる。そこで、本発明者は、カーポートに物干柵を連結し、日当たりの変化や突然の雨等の環境に合わせて物干柵を回すことのできる製品の試作に着手した。
【０００３】
最初の試作品は、カーポートの柱に物干柵の一端部を蝶番で連結したものである。ところが、物干柵の他端部を引っ張って柱を中心に物干柵を回そうとすると、物干柵の他端部の底が基礎コンクリートにつかえ、回すことができなかった。原因は、雨水を排水するために基礎コンクリートの床面が僅かに傾けてあることを、考慮しなかったことにある。他端部を引っ張って物干柵を回そうとすると、他端部が基礎コンクリートの傾斜に沿って上に動こうとし、一端部もその分だけ上に動こうとするが、蝶番で連結されているので、一端部が上に動くことはなく、その結果、他端部の底が床につかえるのである。
【０００４】
上述した問題点を解決した特許出願は、調査の限りにおいては発見されなかった。関連のある特許文献を以下に述べる。
【０００５】
従来の物干の一例は、カーポートの屋根を構築する梁や桁から吊金具を吊り下げ、一対の吊金具に物干竿を掛け渡すものである（特許文献１、２）。
【特許文献１】特開２００５−５８３０２号公報
【特許文献２】特開２００５−５２４５６号公報
【０００６】
別の物干の一例は、底にキャスターを付けたもので、カーポートには関係がない。
【特許文献１】登録実用新案第３１１８４２９号公報
【特許文献２】登録実用新案第３１０２６９２号公報
【発明の開示】
【発明が解決しようとする課題】
【０００７】
本発明は、傾斜の付いた床上であっても物干柵を安定して回せるようにすることを解決課題とする。
【課題を解決するための手段】
【０００８】
本発明は、車庫の傾斜する床の上に物干柵を起立すると共に、車庫の柱を中心にして物干柵を回すときに物干柵が床の傾斜に沿って上下動するストロークを吸収するために、鉛直な筒状の軸受と、軸受に対して相対的に上下動可能に収容される軸とを設け、軸と軸受のうち一方を柱に、他方を物干柵の一端部にそれぞれ固定してある。
【０００９】
物干柵の他端部の底にキャスターを付けてあるか否かは問わない。
車庫は、周囲を覆っていない簡易なもの、カーポートであっても良いし、周囲を覆ってあるものであっても良い。
【００１０】
カーポートの場合は、周囲を覆っていない構造であり、周囲の環境変化を受けやすいので、次のようにすることが望ましい。
即ち、物干柵の他端部の底にストッパー付きのキャスターを付けてあることである。
【発明の効果】
【００１１】
本発明の物干は、車庫の柱を中心にして物干柵を回転するときに床面の傾斜から受ける物干柵の上下動のストロークを、軸と軸受で吸収する優れた構造を採用するので、傾斜の付いた床上であっても物干柵を安定して回せる。また、カーポートは、周囲の環境の変化を受けやすいが、物干柵の他端部の底にストッパー付きのキャスターを付けた場合、環境変化に応じて物干柵を迅速に回すことができる上、ストッパーを働かせることで物干柵を床面の傾斜に逆らって動かないようにできる。
【発明を実施するための最良の形態】
【００１２】
物干１を取り付ける車庫２（カーポート）は、図１に示すように傾斜する床２１（基礎コンクリート）の上に柱２２を前後左右に間隔をあけて起立し、柱２２の上に梁２３や桁２４を組み、梁２３や桁２４の上に図示しない屋根を固定したものである。
【００１３】
物干１は、図１〜図３に示すように、物干柵３と、物干柵３の一端部を上下の複数個所で柱２２に連結する連結具４とから構成してある。
【００１４】
物干柵３は、パイプ３１を縦横に組んで側面視して細長い四角形の両端部から脚を二本垂下した形状に、平面視して一直線の形状にしてある。物干柵３は、柱２２に固定する方（一端部）の縦パイプ３１の底を床２１から浮かし、柱２２に固定しない方（他端部）の縦パイプ３１の底にキャスター３２を固定し、キャスター３２で接地してある。キャスター３２は、図４に示すように、車輪３３の回転を止めるストッパー３４が付いている。
【００１５】
連結具４は、図１〜図３に示すように、軸４１と、軸受４２を基本とするもので、車庫２の柱２２を中心にして物干柵３を回すときに物干柵３が床２１の傾斜に沿って上下動するストロークを吸収する。
【００１６】
軸４１は、鉛直な丸い棒であって、その下部を軸受４２に上下に抜き差し可能（移動可能）に挿入し、その上部と物干柵３の一端部を板状のブラケット４３で溶接して連結する。
【００１７】
軸受４２は、鉛直な円筒であって、柱２２の一部に取り付ける留め具４４に固定する。
【００１８】
留め具４４は、断面四角形の柱２２の三方を囲む屈曲板４５と、柱２２の残りの一方を囲む平板４６とから構成してある。屈曲板４５は、コ字板の両端部を外側に直角に屈曲して張り出し、その張り出し部分を平板４６に対する連結片４７とし、コ字の一方の隅角部分に軸受４２を溶接したものである。軸受４２を柱２２に固定する仕方は、屈曲板４５の連結片４７と平板４６の両端部を重ね合わせ、前後からボルト・ナットを締め付ける仕方である。
【００１９】
上述した物干１は、物干柵３の一端部（柱２２に連結する方）を軸４１と軸受４２の嵌め合いによって支持し、他端部をキャスター３２で支持している。その結果、物干柵３は、倒れることなく起立し、柱２２、正確に言えば軸４１を中心に回転可能に支持してある。物干柵３を回すと、柱２２に固定された軸受４２に対して、軸４１（物干柵３）が床２１の傾斜に合わせて上下動する。
【００２０】
自動車の駐車時や、洗濯物を干さないときに、使用者は、道路に向かって側面片側（例えば右側）の柱２２と柱２２の間に沿わせて物干柵３を移動し、自動車の邪魔にならないようにする。一方、自動車で外出中に洗濯物を干すときに、使用者は、物干柵３に洗濯物を掛け、物干柵３を環境の変化に応じて回し、ストッパー３４を働かせて車輪３３の回転を停止し、その位置から物干柵３が動かないようにする。
【００２１】
本発明は上記実施形態に限定されない。たとえば、軸受４２を物干柵３の一端部に固定し、軸４１を柱２２側（留め具４４）に固定しても良い。また、物干柵３は、横パイプの長さを伸縮可能な構造としても良い。
【図面の簡単な説明】
【００２２】
【図１】物干の全体を示す正面図である。
【図２】物干の動きを示す平面図である。
【図３】軸と軸受の関係を示す斜視図である。
【図４】キャスターを示す斜視図である。
【符号の説明】
【００２３】
１物干、２車庫、３物干柵、４連結具、２１床、２２柱、２３梁、２４桁、
３１パイプ、３２キャスター、３３車輪、３４ストッパー、
４１軸、４２軸受、４３ブラケット、４４留め具、４５屈曲板、４６平板、４７連結片
【図１】
2009022436.tif 000003
【図２】
2009022436.tif 000004
【図３】
2009022436.tif 000005
【図４】
2009022436.tif 000006